(57)【要約】【課題】表示態様の変更に伴う映像の視認性の低下を防止すること。【解決手段】実施形態に係る映像処理装置は、算出部と、指示部とを備える。算出部は、１フレームに順次表示される複数のパーツのうち、表示態様の変更対象となる対象パーツの描画期間を算出する。指示部は、算出部によって算出された描画期間を避けて対象パーツの表示態様が変更されるように指示する。【選択図】図１
2019219461.tif 000002
【特許請求の範囲】
【請求項１】
１フレーム内に順次表示される複数のパーツのうち、表示態様の変更対象となる対象パーツが描画される描画期間を算出する算出部と、
前記算出部によって算出された前記描画期間を避けて前記対象パーツの前記表示態様が変更されるように指示する指示部と
を備えることを特徴とする映像処理装置。
【請求項２】
前記指示部は、
前記表示態様が実際に変更される変更期間が前記描画期間に重ならないように前記表示態様の変更が開始される変更タイミングを決定すること
を特徴とする請求項１に記載の映像処理装置。
【請求項３】
前記指示部は、
前記描画期間が開始されるまでの期間が前記変更期間よりも長い場合、表示態様が当該描画期間までに変更されるように指示し、前記描画期間が開始されるまでの期間が前記変更期間よりも短い場合に、当該描画期間の終了後に前記表示態様が変更されるように指示すること
を特徴とする請求項２に記載の映像処理装置。
【請求項４】
前記指示部は、
前記１フレームの描画に要する期間を複数の期間に分割し、前記描画期間と重ならない期間に前記表示態様が変更されるように指示すること
を特徴とする請求項１に記載の映像処理装置。
【請求項５】
前記指示部は、
前記１フレームの描画が開始されるタイミングを垂直同期信号に基づいて検出すること
を特徴とする請求項１〜４のいずれか一つに記載の映像処理装置。
【請求項６】
１フレームに順次表示される複数のパーツのうち、表示態様の変更対象となる対象パーツが描画される描画期間を算出する算出工程と、
前記算出工程によって算出された前記描画期間を避けて前記対象パーツの前記表示態様が変更されるように指示する指示工程と
を含むことを特徴とする表示態様変更方法。
【発明の詳細な説明】
【技術分野】
【０００１】
本発明は、映像処理装置および表示態様変更方法に関する。
【背景技術】
【０００２】
従来、例えば、車両に設置されたメインディスプレイに表示される映像を車両の後方に設置されたサブディスプレイに表示する車載表示システムがある。かかる表示システムでは、例えば、サブディスプレイの表示態様の変更メニューをＯＳＤ（On  Screen  Display）表示するものがある（例えば、特許文献１参照）。
【先行技術文献】
【特許文献】
【０００３】
【特許文献１】特開２００９−６９６１３号公報
【発明の概要】
【発明が解決しようとする課題】
【０００４】
しかしながら、従来技術では、サブディスプレイを制御するマイコンに安価なものを用いる場合に、表示態様を変更途中のパーツが表示されるおそれがあり、映像の視認性の低下を招く恐れがある。
【０００５】
本発明は、上記に鑑みてなされたものであって、表示態様の変更に伴う映像の視認性の低下を防止することができる映像処理装置および表示態様変更方法を提供することを目的とする。
【課題を解決するための手段】
【０００６】
上述した課題を解決し、目的を達成するために、実施形態に係る映像処理装置は、算出部と、指示部とを備える。前記算出部は、１フレームに順次表示される複数のパーツのうち、表示態様の変更対象となる対象パーツの描画期間を算出する。前記指示部は、前記算出部によって算出された前記描画期間を避けて前記対象パーツの前記表示態様が変更されるように指示する。
【発明の効果】
【０００７】
本発明によれば、表示態様の変更に伴う映像の視認性の低下を防止することができる。
【図面の簡単な説明】
【０００８】
【図１】図１は、表示態様変更方法の概要を示す図である。
【図２】図２は、表示システムの構成例を示す図である。
【図３】図３は、映像処理装置のブロック図である。
【図４】図４は、表示画像の一例を示す図である。
【図５】図５は、調整画像の構成例を示す図である。
【図６】図６は、変更タイミングの具体例を示す図である。
【図７】図７は、１フレームが描画される期間を示す模式図である。
【図８】図８は、映像処理装置が実行する処理手順を示すフローチャートである。
【発明を実施するための形態】
【０００９】
以下、添付図面を参照して、実施形態に係る映像処理装置および表示態様変更方法について詳細に説明する。なお、本実施形態によりこの発明が限定されるものではない。
【００１０】
まず、図１を用いて実施形態に係る表示態様変更方法の概要について説明する。図１は、表示態様変更方法の概要を示す図である。なお、かかる表示態様変更方法は、図２等を用いて後述する映像処理装置１によって実行される。
【００１１】
実施形態に係る表示態様変更方法は、映像１フレームの走査線を順次表示するプログレッシブ方式またはインターレース方式を用いて映像を表示するものである。
【００１２】
ところで、従来、プログレッシブ方式またはインターレース方式の表示方式を用いて表示態様を変更する表示システムにおいて、バックアップ用のレジスタを有するものがある。かかる表示システムでは、かかるレジスタ上で映像の表示態様の変更を行ったうえで、表示態様の変更が完了した映像を表示する。
【００１３】
しかしながら、従来技術では、バックアップ用のレジスタを用いる分だけ、製造コストが増大する。一方、バックアップ用のレジスタを無くして表示態様を変更する場合、表示態様を変更中の映像が表示される場合があり、映像の視認性の低下を招く。
【００１４】
そこで、実施形態に係る表示態様変更方法では、バックアップ用のレジスタを用いず、表示態様を変更途中の映像が表示されないように、表示態様の変更を行うこととした。
【００１５】
つまり、実施形態に係る表示態様変更方法では、１フレーム内で表示態様の変更対象となる対象パーツが描画される描画期間を避けて、対象パーツの表示態様を変更する。
【００１６】
具体的には、図１に示すように、実施形態に係る表示態様変更方法では、まず、描画期間ｄｐを算出する（ステップＳ１）。ここで、描画期間ｄｐは、変更態様の変更対象となる対象パーツが表示装置に描画される期間である。図１に示す例では、対象パーツが描画される描画領域にハッチングを施して示す。なお、対象パーツの具体例については後述する。
【００１７】
続いて、実施形態に係る表示態様変更方法では、算出した描画期間ｄｐを避けて対象パーツの表示態様が変更されるように表示態様の変更を指示する（ステップＳ２）。
【００１８】
すなわち、実施形態に係る表示態様変更方法では、描画期間ｄｐ以外の非描画期間ｎｐ１、ｎｐ２において対象パーツの表示態様が変更されることとなる。言い換えれば、対象パーツが表示される描画期間ｄｐ以外の期間において対象パーツの表示態様の変更を行う。
【００１９】
これにより、表示態様を変更完了した対象パーツを表示することが可能となる。したがって、実施形態に係る表示態様変更方法によれば、バックアップ用のレジスタを用いずに、表示態様の変更に伴う映像の視認性の低下を防止することができる。
【００２０】
次に、図２を用いて映像処理装置１を含む表示システムの構成例について説明する。図２は、表示システムの構成例を示す図である。なお、かかる表示システムは、例えば、車両の後部座席に設けられたサブディスプレイに対する表示システムである。
【００２１】
図２に示すように、実施形態に係る表示システム１００は、映像処理装置１と、映像ＩＣ（Integrated  Circuit）５０と、記憶装置６０と、表示装置７０とを備える。
【００２２】
映像処理装置１は、表示システム１００の全体を制御する制御装置であり、上述の描画期間ｄｐの算出や表示態様の変更指示等を映像ＩＣ５０に対して行う。
【００２３】
映像ＩＣ５０は、記憶装置６０から取得した映像信号を映像処理装置１から入力される制御信号に基づいて表示装置７０へ出力する。なお、映像処理装置１と映像ＩＣ５０との通信は、例えば、Ｉ２Ｃ（Inter  Integrated  Circuit）通信である。
【００２４】
記憶装置６０は、例えば、ＮＯＲ型のフラッシュメモリであり、各種画像情報を格納する。映像ＩＣ５０は、記憶装置６０から表示装置７０へ表示する画像情報を取り出し、映像信号として表示装置７０へ順次出力する。
【００２５】
表示装置７０は、例えば、ＴＦＴ（Thin  Film  Transistor）液晶や有機ＥＬ（Electro  Luminescence）液晶であり、映像ＩＣ５０から入力される映像信号に基づく映像を表示する。
【００２６】
また、図２に示すように、映像ＩＣ５０と表示装置７０とは、信号線Ｌ１と、映像線Ｌ２とによって接続される。信号線Ｌ１は、表示装置７０に表示される１フレームの区切りを示す信号である垂直同期信号ｖｐｐを伝送するための線である。また、映像線Ｌ２は、上述の映像信号を伝送するための線である。
【００２７】
図２に示すように、信号線Ｌ１は、分岐した一端が映像処理装置１に接続される。すなわち、本実施形態では、映像ＩＣ５０から映像処理装置１へ垂直同期信号ｖｐｐが入力される。これにより、映像処理装置１は、垂直同期信号ｖｐｐを基準として上述の描画期間ｄｐを算出することが可能となる。なお、図２では、分岐した信号線Ｌ１が映像処理装置１へ接続される場合について示したが、映像ＩＣ５０からおよび表示装置７０へそれぞれ個別に信号線Ｌ１を接続することにしてもよい。
【００２８】
次に、図３を用いて実施形態に係る映像処理装置１の構成例について説明する。図３は、映像処理装置１のブロック図である。図３に示すように、映像処理装置１は、制御部２と、記憶部３とを備える。
【００２９】
制御部２は、算出部２１と、指示部２２とを備える。制御部２は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００３０】
コンピュータのＣＰＵは、例えば、ＲＯＭに記憶されたプログラムを読み出して実行することによって、制御部２の算出部２１および指示部２２として機能する。
【００３１】
また、制御部２の算出部２１および指示部２２の少なくともいずれか一部または全部をＡＳＩＣ（Application  Specific  Integrated  Circuit）やＦＰＧＡ（Field  Programmable  Gate  Array）等のハードウェアで構成することもできる。
【００３２】
また、記憶部３は、例えば、ＲＡＭやＨＤＤに対応する。ＲＡＭやＨＤＤは、変更期間情報３１を記憶する。なお、映像処理装置１は、有線や無線のネットワークで接続された他のコンピュータや可搬型記録媒体を介して上記したプログラムや各種情報を取得することとしてもよい。
【００３３】
制御部２の算出部２１は、１フレームに順次表示される複数のパーツのうち、表示態様の変更対象となる対象パーツの描画期間ｄｐを算出し、描画期間ｄｐに関する情報を指示部２２へ通知する。
【００３４】
図４は、表示画像の具体例を示す図である。図４に示すように、表示画像ｄｉは、調整画像ｃｉと背景画像ｂｉとを含む。表示画像ｄｉのうち、調整画像ｃｉを映像ＩＣ５０によって生成する。また、背景画像ｂｉは、例えば、図示しないメインディスプレイに表示される画像であり、メインディスプレイから入力される画像である。
【００３５】
図４に示すように、調整画像ｃｉには、コントラスト、明るさ、色合い等を設定するためのパーツｐ１〜ｐ３が表示される。ユーザは、図示しない操作部を介してパーツｐ１〜ｐ３を操作することで、コントラスト、明るさ、色合い等を設定することができる。
【００３６】
具体的には、映像処理装置１は、映像ＩＣ５０に対してユーザ操作に応じたパーツｐ１〜ｐ３の表示態様の変更を指示する。これにより、例えば、映像ＩＣ５０は、パーツｐ１〜ｐ３を含む調整画像ｃｉの表示位置や色、大きさ等を含む表示態様の変更を行うこととなる。
【００３７】
図５は、調整画像ｃｉの構成例を示す図である。図５に示すように、調整画像ｃｉは、複数の走査線によって構成される。まず、算出部２１は、１フレームの描画が開始される開始走査線（１走査線目）から対象パーツの描画が開始される描画走査線（５走査線目）までの走査線数に基づいて描画期間ｄｐが開始される描画タイミングを算出する。
【００３８】
図５に示す例では、描画走査線までの走査線数が５であり、１フレームの描画が開始されてから５つ目の走査線から対象パーツが描画されることとなる。また、１走査線当たりの描画に要する時間ｔａは、既知の値である。
【００３９】
このため、算出部２１は、描画走査線までの走査線数×時間ｔａを算出することで、描画タイミングを算出することができる。また、算出部２１は、対象パーツが描画領域に含まれる走査線数に基づき、描画期間ｄｐの長さを算出する。すなわち、描画期間ｄｐの長さは、描画領域に含まれる走査線数×時間ｔａとなる。
【００４０】
図３の説明に戻り、指示部２２について説明する。指示部２２は、算出部２１によって算出された描画期間ｄｐを避けて対象パーツの表示態様が変更されるように指示する。
【００４１】
具体的には、指示部２２は、対象パーツの表示態様が変更される変更期間ｃｐが描画期間ｄｐに重ならないように表示態様の変更が開始される変更タイミングを決定する。
【００４２】
かかる変更期間ｃｐに関する情報は、記憶部３に変更期間情報３１として予め格納される。変更期間情報３１は、表示態様の変更に要する時間を示す情報である。例えば、１フレームの描画を完了するのに要する時間が約１７ｍｓｅｃであり、変更期間ｃｐが約３ｍｓｅｃである。
【００４３】
図６は、変更タイミングの具体例を示す図である。図６に示すように、指示部２２は、上述の垂直同期信号ｖｐｐに基づき、１フレームの描画が開始される開始タイミングｓｔを検知することが可能である。
【００４４】
このように、指示部２２は、垂直同期信号ｖｐｐを取得することで、開始タイミングｓｔを正確に把握することが可能となるので、描画期間ｄｐを正確に認識することが可能となる。なお、垂直同期信号ｖｐｐに加えて、１走査線の入力タイミングを示す水平同期信号を取得することにしてもよい。かかる場合に、例えば、水平同期信号のパルス数をカウントすることで、１フレームの開始タイミングｓｔを認識することも可能である。
【００４５】
指示部２２は、開始タイミングｓｔから描画期間ｄｐが開始されるまでの期間が変更期間ｃｐよりも長い場合、描画期間ｄｐの開始前までの期間に表示態様が変更されるように即時に指示する。
【００４６】
すなわち、指示部２２は、開始タイミングｓｔから描画期間ｄｐまでに対象パーツの表示態様の変更が可能である場合、描画期間ｄｐまでに表示態様が変更されるように指示する。これにより、いち早く表示態様を変更した対象パーツを表示することが可能となる。
【００４７】
一方、指示部２２は、開始タイミングｓｔから描画期間ｄｐが開始されるまでの期間が変更期間ｃｐよりも短い場合、描画期間ｄｐの終了後に対象パーツの表示態様が変更されるように指示する。
【００４８】
すなわち、指示部２２は、開始タイミングｓｔから描画期間ｄｐまでに対象パーツの表示態様の変更が間に合わない場合、描画期間ｄｐが終了するまで表示態様の変更を待機させる。
【００４９】
かかる場合に、例えば、指示部２２は、描画期間ｄｐの終了するタイミングで表示態様が変更されるように指示することにしてもよいし、あるいは、次の描画期間ｄｐまでに表示態様の変更が完了すれば、任意のタイミングで表示態様の変更が開始されるように指示することにしてもよい。
【００５０】
このように、指示部２２は、表示態様が変更される変更期間ｃｐが描画期間ｄｐと重ならないように変更タイミングを決定する。これにより、描画期間ｄｐを避けて対象パーツの表示態様が変更されることとなり、表示態様を変更途中の対象パーツが描画されるのを防止することができる。
【００５１】
なお、指示部２２は、描画期間ｄｐの終了後、直ちに対象パーツの表示態様が変更されるように常に映像ＩＣ５０へ指示することにしてもよい。すなわち、描画期間ｄｐの終了後に速やかに表示態様の変更を行うことで、次の描画期間ｄｐまでに表示態様の変更を完了させることが可能となる。かかる場合であっても、常に表示態様を変更途中の対象パーツが表示されることを抑制することが可能となる。
【００５２】
また、指示部２２は、１フレームが描画される期間を複数の期間に分割し、描画期間ｄｐと重ならない期間に表示態様が変更されるように指示することにしてもよい。
【００５３】
図７は、１フレームが描画される期間を示す模式図である。図７に示すように、例えば、１フレームの描画に要する期間を前半期間ｔ１と後半期間ｔ２とに２分割する。
【００５４】
そして、指示部２２は、描画期間ｄｐが前半期間ｔ１に含まれる場合、後半期間ｔ２に変更態様が変更されるように指示し、描画期間ｄｐが後半期間ｔ２に含まれる場合、前半期間ｔ１に変更態様が変更されるように指示する。
【００５５】
これにより、描画期間ｄｐを避けて表示態様を変更する変更期間ｃｐを設定することが可能となる。また、予め期間を分割しておくことで、変更期間の決定を容易にすることが可能となる。
【００５６】
なお、ここでは、１フレームが描画される期間を前半期間ｔ１と後半期間ｔ２との２つの期間に分割する場合について説明したが、３つ以上の期間に分割することしてもよい。また、ここでは、１フレームが描画される期間を開始タイミングｓｔから次の開始タイミングｓｔまでとしたが、開始タイミングｓｔから終了タイミングｅｔまでの期間とすることにしてもよい。
【００５７】
次に、図８を用いて実施形態に係る映像処理装置１が実行する処理手順について説明する。図８は、映像処理装置１が実行する処理手順を示すフローチャートである。
【００５８】
図８に示すように、映像処理装置１の制御部２は、表示態様の変更指示を取得したか否かを判定し（ステップＳ１０１）、かかる変更指示を取得した場合に（ステップＳ１０１，Ｙｅｓ）、対象パーツが描画される描画期間ｄｐを算出する（ステップＳ１０２）。
【００５９】
続いて、指示部２２は、描画期間ｄｐを避けて対象パーツの表示態様が変更されるように表示態様の変更期間を設定する（ステップＳ１０３）。続いて、指示部２２は、かかる変更期間に対象パーツの表示態様が変更されるように表示態様の変更を指示し（ステップＳ１０４）、処理を終了する。
【００６０】
一方、制御部２は、変更指示を取得しなかった場合（ステップS１０１，Ｎｏ）、そのまま処理を終了することとなる。
【００６１】
上述したように、実施形態に係る映像処理装置１は、算出部２１と、指示部２２とを備える。算出部２１は、１フレーム内に順次表示される複数のパーツのうち、表示態様の変更対象となる対象パーツが描画される描画期間ｄｐを算出する。
【００６２】
指示部２２は、算出部２１によって算出された描画期間ｄｐを避けて対象パーツの表示態様が変更されるように指示する。したがって、実施形態に係る映像処理装置１によれば、表示態様を変更途中の対象パーツが描画されないので、表示態様の変更に伴う映像の視認性の低下を防止することができる。
【００６３】
ところで、上述した実施形態では、対象パーツが１つである場合について説明したが、対象パーツは同時に複数個あってもよい。また、上述した実施形態では、表示システム１００が車両の後方に設置されるサブディスプレイ用の表示システムである場合について説明したが、表示システム１００は、スマートフォン、パソコン等の表示システムに適用することも可能である。
【００６４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６５】
１    映像処理装置
２１    算出部
２２    指示部
５０    映像ＩＣ
６０    記憶装置
７０    表示装置
１００    表示システム
ｄｐ    描画期間
ｖｐｐ    垂直同期信号
【図１】
2019219461.tif 000003
【図２】
2019219461.tif 000004
【図３】
2019219461.tif 000005
【図４】
2019219461.tif 000006
【図５】
2019219461.tif 000007
【図６】
2019219461.tif 000008
【図７】
2019219461.tif 000009
【図８】
2019219461.tif 000010